(57)【要約】【課題】  外形サイズを増大させることなく筐体温度の過熱を抑えることができるプロジェクタを提供すること。【解決手段】  プロジェクタ１は、光源１６とこの光源１６を囲む椀状を呈し光源１６からの光を光学ユニット５に向けて集光させるリフレクタ２１とを備える光源ユニット２０と、光源ユニット２０から光学ユニット５への導光を妨げないように光源ユニット２０を囲む金属材料からなる光源カバー６と、光源カバー６の表面に接して形成された通風空間と、通風空間に空気の流れを形成するファン２５ａ、２５ｂとを備える。【選択図】        図６
2005338379.tif 000002
【特許請求の範囲】
【請求項１】
光源と、前記光源を囲む椀状を呈し前記光源からの光を光学ユニットに向けて集光させるリフレクタとを備える光源ユニットと、
前記光源ユニットから前記光学ユニットへの導光を妨げないように前記光源ユニットを囲む金属材料からなる光源カバーと、
前記光源カバーの表面に接して形成された通風空間と、
前記通風空間に空気の流れを形成するファンと、
を備えたことを特徴とするプロジェクタ。
【請求項２】
前記光源カバーは前記光源ユニットの上部を覆うと共に筐体上板部内面に対向される上板部を有し、前記上板部における前記光源の近傍部分には、前記ファンによる空気の流れの風上側から風下側に向かって前記筐体上板部内面との間隔が漸次大となるように傾斜した傾斜部が形成されている
ことを特徴とする請求項１に記載のプロジェクタ。
【請求項３】
前記傾斜部と、前記リフレクタにおける前記傾斜部と対向する部分との間の間隔は略均一である
ことを特徴とする請求項２に記載のプロジェクタ。
【発明の詳細な説明】
【技術分野】
【０００１】
本発明は、スクリーンなどの被投写体に画像や映像を拡大表示するプロジェクタに関し、詳しくは、光源近傍部分の冷却構造を工夫することにより筐体における光源近傍部分が局所的に高温になるのを抑制したプロジェクタに関する。
【背景技術】
【０００２】
近年、ホームシアター構築のために家庭にもプロジェクタが普及しつつある。プロジェクタはその筐体の内部に主要構成要素として光源と光学ユニットとを備えている。一般に、プロジェクタにおける光源は大出力であるため、それに伴って発熱量も大きいため冷却構造が必要である。例えば、ファンによる強制対流を利用した空冷構造がよく採用されている。また、光源周囲の部品を光源から発せられる紫外線や熱による劣化から防ぐために、光源は光源カバーに囲まれている。例えば特許文献１参照。
【特許文献１】特開平１０−２３３５５号公報
【発明の開示】
【発明が解決しようとする課題】
【０００３】
従来、光源カバーは耐紫外線性及び耐熱性に優れた樹脂材料から構成されていた。しかし、樹脂材料は一般に放熱性が低いため光源からの熱を受けて光源カバーが高温になると蓄熱量も大きくなり、なおかつ、樹脂材料は熱伝導率が低いため光源カバーの温度分布のムラが大きくなり、光源カバーの各部分の中でも光源に近い部分はより高い温度となりやすい。その結果、特に、電源オフ後（光源への電力供給停止後）、ファンが停止した状態において、光源が蓄熱した熱の対流及び輻射により、筐体における光源近傍部分に局所的に熱が集中してその部分が高温になってしまうという問題があった。
【０００４】
筐体の過熱を防ぐために、光源カバーと筐体との間に十分な距離を確保することが考えられるが、そのために確保した距離の分、プロジェクタの外形サイズが大型化してしまう。
【０００５】
本発明は上述の問題に鑑みてなされ、その目的とするところは、外形サイズを増大させることなく筐体温度の過熱を抑えることができるプロジェクタを提供することにある。
【課題を解決するための手段】
【０００６】
本発明のプロジェクタは、光源とこの光源を囲む椀状を呈し光源からの光を光学ユニットに向けて集光させるリフレクタとを備える光源ユニットと、光源ユニットから光学ユニットへの導光を妨げないように光源ユニットを囲む金属材料からなる光源カバーと、光源カバーの表面に接して形成された通風空間と、通風空間に空気の流れを形成するファンとを備えたことを特徴としている。
【０００７】
上記ファンの駆動によって上記通風空間を空気が流れ、光源ユニット及び光源カバーは空冷される。そして、光源カバーの材料に放熱性に優れた金属材料を用いていることにより、プロジェクタ動作時における光源カバーの過熱を抑制できる。この結果、筐体における光源カバー近傍部分の過熱も抑えられる。
【０００８】
また、金属材料からなる光源カバーは熱伝導性にも優れているので、特に、電源オフ後にファンの駆動が停止された状態において光源ユニットに蓄熱された熱の自然対流及び輻射を受けても、その熱を光源カバー全体に均熱化することができ、光源近傍部の局所的な温度上昇を抑えることができる。この結果、筐体における光源近傍部が局所的に高温になることを防げる。
【０００９】
また、光源カバーは光源ユニットの上部を覆うと共に筐体上板部内面に対向される上板部を有し、その上板部における光源の近傍部分には、ファンによる空気の流れの風上側から風下側に向かって筐体上板部内面との間隔が漸次大となるように傾斜した傾斜部が形成された構成とすれば、光源カバーにおいて最も高温となりやすい光源近傍部分に流れる空冷用空気の流量増大及びその部分から筐体上板部に対する熱輻射の及ぶ距離の増大が図れ、筐体上板部における光源近傍部分が局所的に高温になってしまうことを抑制でできる。
【００１０】
また、傾斜部と、リフレクタにおける傾斜部と対向する部分との間の距離が部分的に狭くなることがないように、それら間の間隔は略均一とすることが好ましい。これによって、傾斜部とリフレクタとの間の通風空間に円滑に空冷用空気を流すことができ、冷却効率のさらなる向上が図れる。
【発明の効果】
【００１１】
本発明のプロジェクタによれば、動作時及び電源をオフにした後の筐体温度の低減が図れ、特に電源オフ後の筐体温度の過熱を防げることにより、使い終わった後にすぐに例えばキャリングケースに収納して持ち運んでもキャリングケースに対する熱損傷を防げる。
【発明を実施するための最良の形態】
【００１２】
［第１の実施形態］
図１は本発明の実施形態に係るプロジェクタ１の外観斜視図を示す。図２は同プロジェクタ１の分解斜視図を示す。図３は図１において上筐体２Ａを取り外した状態を示す。図６は図３における［Ａ］−［Ａ］線方向の断面図を示す。図７は図３における［Ｂ］−［Ｂ］線方向の断面図を示す。
【００１３】
プロジェクタ１は略直方体形状の筐体２の内部に後述する各部品が機能ごとにユニット化されて収容されてなる。筐体２は、上筐体２Ａと下筐体２Ｂとが分離可能に組み合わされてなる。
【００１４】
上筐体２Ａは樹脂材料からなり、上板部２Ａａと、この上板部２Ａａに対して略直角な正面板部２Ａｂとが一体成形されてなる。正面板部２Ａｂにおいて、その長手方向の中央部から左右方向の片側に少し寄った位置にレンズ窓１８が開口している。
【００１５】
下筐体２Ｂは、金属材料からなる底板部２Ｂｃと、この底板部２Ｂｃの前端縁部を除く３端縁部に略垂直に立設された樹脂材料からなる側板部２Ｂａ、２Ｂｂ、背面板部２Ｂｄとからなる。底板部２Ｂｃには多数のスリット状の吸気口２８ａ、２８ｂ、２８ｃが形成されている。側板部２Ｂａには多数のスリット状の排気口４が形成されている。
【００１６】
図６、７に示される光源１６は、例えばメタルハライドランプであり、石英ガラスの球の中に特殊な金属ガスが封入され、電極の間で放電を起こして強い光を出す。光源としては、その他に、例えば、ハロゲンランプ、キセノンランプ、高圧水銀ランプなどを用いてもよい。
【００１７】
光源１６は、椀状を呈するリフレクタ２１の底部内面に配置されている。リフレクタ２１は、椀状のガラス部材に光の反射膜を付けた構造で、光源１６から出た光を効率よく集めて光学ユニット５側（図６において左方側）に導く役目をする。したがって、リフレクタ２１はその開口を光学ユニット５側に向けている。
【００１８】
光源ユニット２０は、上述した光源１６とリフレクタ２１と、これらを保持する例えば樹脂材料からなる光源ベース２２を備える。光源ベース２２は、図２、図７に示すように、リフレクタ２１の左右の側部に対向する側板部２２ｂ、２２ｃと、これら側板部２２ｂ、２２ｃの下端縁部を結合し、リフレクタ２１の下部に対向する底板部２２ａからなる。光源ベース２２は、リフレクタ２１との間に間隙を形成してリフレクタ２１の側部及び底部を覆っている。
【００１９】
光源カバー６は、従来用いていた樹脂材料に比べて熱伝導率の高い金属材料からなる。本実施形態では例えばアルミニウムからなる。その他に、銅や銀、さらには単体金属に限らず、例えばアルミニウム合金、銅合金などの合金材料から構成してもよい。
【００２０】
光源カバー６は、図４、５に示すように、上板部と２つの側板部８、１４と後板部１１とが一体成形されてなる。上板部は２つの水平部７、１０とこれら水平部７、１０間をつなぐ傾斜部９とからなる。水平板部７は、互いに平行な２つの側板部８、１４の上端縁部に一体結合されている。水平板部１０は水平板部７よりも下方に下がって位置する。水平板部７及び１０は共に側板部８、１４に対して略垂直となっている。傾斜部９は、水平板部７側から水平板部１０側に向かって下向き傾斜している。後板部１１は、水平板部１０に一体結合され、下方に向けて略垂直に突出している。また、水平板部７には、その内面側に配置される部材との干渉を避けるための膨出部１２が形成されている。水平板部１０にはねじ止め孔を形成したボスが突設されている。
【００２１】
光学ユニット５は、インテグレータ、ダイクロイックミラー、液晶パネル、投写レンズ３などを備える。光学ユニット５は、投写レンズ３が上筐体２Ａの正面板部２Ａｂに形成されたレンズ窓１８に臨むように（図１参照）、下筐体２Ｂの底板部２Ｂｃに固定される。
【００２２】
光源ユニット２０は、光学ユニット５に対して位置決めされて固定される。光源カバー６は光源ユニット２０を囲むように底板部２Ｂｃに固定される。さらに、光源ベース２２には、遮光ルーバー１３（図２参照）も固定される。遮光ルーバー１３は、図６に示すように、リフレクタ２１の後側（光学ユニット５への導光方向の反対側）と、光源カバー６の後板部１１との間に配置される。
【００２３】
図６、７に示すように、光源カバー６の上板部は光源ユニット２０の上部を覆い、側板部８、１４は光源ユニット２０の側部を覆う。光源カバー６において、光源ユニット２０から光学ユニット５への導光方向側（図６において左方側）は開放されており、光源ユニット２０から光学ユニット５への導光を妨げない。
【００２４】
遮光ルーバー１３は、図２において１点鎖線で示す奥行き方向の中心に、各々の先端を向けて傾斜して配設された複数の遮光片１３ａを有し、それら遮光片１３ａ間にはスリットが形成されている。その遮光ルーバー１３の奥行き方向の中心付近に、光源カバー６の後板部１１は位置され、図６に示すように、遮光ルーバー１３と後板部１１との間には間隙が形成されている。
【００２５】
また、図６に示すように、水平板部７及び１０は、それぞれ上筐体２Ａの上板部２Ａａに対して略平行に向き合っている。膨出部１２、水平板部７、傾斜部９及び水平板部１０各々の外表面と、上筐体２Ａの上板部２Ａａ内面との間には間隙が形成され、この間隙は後述するように光源カバー６を空冷するための通風空間として機能する。ファン２５ａ、２５ｂが駆動されると、その通風空間には、水平板部７側から水平板部１０側に向けて流れる（図６において左方から右方に向けて流れる）空気の流れが形成される。
【００２６】
傾斜部９は、光源１６点灯時にリフレクタ２１において最も高温となる光源１６上方側の光源近傍部分Ａに向き合わされて位置している。上記光源近傍部分Ａは、椀状を呈するリフレクタ２１において、その底部と、光学ユニット５側に向けて延在する部分との間の部分である。傾斜部９は、上記通風空間を流れる空気の風上側から風下側に向かって下向き傾斜しており、その傾斜部９と、筐体上板部２Ａａ内面との間隔は漸次大とされている。また、傾斜部９は、リフレクタ２１における傾斜部９と対向する部分（上記光源近傍部分）Ａの形状に沿うようにして配置され、これにより、傾斜部９と、リフレクタ２１における傾斜部９と対向する部分（上記光源近傍部分）Ａとの間の間隔は略均一となっている。
【００２７】
光源カバー６の外表面と他部材との間、および内表面と他部材との間には図７に示すように間隙Ｓ１、Ｓ２、Ｓ３、Ｓ４が形成され、これら間隙Ｓ１、Ｓ２、Ｓ３、Ｓ４は光源カバー６を空冷するための通風空間として機能する。
【００２８】
すなわち、光源カバー６の側板部８に向き合うようにして電源ホルダー２６が配置され、側板部１４に向き合うようにして光源用電源のシールド部材２３が配置されている。そして、側板部８の外表面と電源ホルダー２６との間、および側板部１４の外表面とシールド部材２３との間に、それぞれ通風空間Ｓ１、Ｓ４が形成されている。さらに、側板部８の内表面と光源ベース２２の側板部２２ｂの外表面との間、および側板部１４の内表面と光源ベース２２の側板部２２ｃの外表面との間に、それぞれ通風空間Ｓ２、Ｓ３が形成されている。
【００２９】
図２、３に示すように、排気口４の内側には２つのファン２５ａ、２５ｂが配設されている。ファン２５ａ、２５ｂは、排気口４と、光源カバー６の後板部１１との間の空間に配置される。後板部１１は、２つのファン２５ａと２５ｂとの間に位置される。
【００３０】
光源１６は高電圧が印加される電極を有し、その電極は光源ベース２２の底板部２２ａに例えばねじ止めにて取り付けられている。したがって、光源ベース２２は絶縁体である例えば樹脂材料からなる。
【００３１】
これに対して、光源ユニット２０を囲む光源カバー６は上記電極に対して安全規格上必要な空間距離が確保された配置構造となっているため、その材料に金属材料の使用を可能としている。この結果、光源ユニット２０の両側部及び上部は金属で覆われた構造となっている。
【００３２】
以上のように構成されるプロジェクタ１は、その使用時には、底板部２Ｂｃを設置面側に、上板部２Ａａを天井側に、投写レンズ３を被投写体である例えばスクリーンに向けた姿勢で設置される。そして、光源１６から発せられる白色光はリフレクタ２１によって集光されて光学ユニット５に入光する。光学ユニット５に入光した光は、ダイクロイックミラーによって赤・緑・青に色分解され、それぞれの画像を表示する液晶パネルを透過した後、再び色合成用ダイクロイックミラーあるいはプリズムによって色合成されカラー画像が形成される。そのカラー画像は投写レンズ３を介してスクリーンに拡大表示される。
【００３３】
そして、本実施形態では、排気用のファン２５ａ、２５ｂと、吸気口２８ａ、２８ｂ、２８ｃとの間を結ぶ経路中に光源ユニット２０及び光源カバー６が配置されているため、ファン２５ａ、２５ｂを駆動させることで、光源ユニット２０及び光源カバー６を空冷するための空気の流れを筐体２内に形成することができる。
【００３４】
具体的には、吸気口２８ａ、２８ｂ、２８ｃから筐体２内に吸い込まれた空気は、光源カバー６の上板部（水平板部７、傾斜部９、水平板部１０）の外表面に接して形成された通風空間（光源カバー６上板部と筐体上板部２Ａａとの間の間隙）、光源カバー６の上板部の内表面に接して形成された通風空間（光源カバー６上板部とリフレクタ２１上部の外表面との間の間隙）光源カバー６の側板部８の外表面に接して形成された通風空間（光源カバー６側板部８と電源ホルダー２６との間の間隙）Ｓ１、光源カバー６の側板部８の内表面に接して形成された通風空間（光源カバー６側板部８と光源ベース２２側板部２２ｂとの間の間隙）Ｓ２、光源カバー６の側板部１４の内表面に接して形成された通風空間（光源カバー６側板部１４と光源ベース２２側板部２２ｃとの間の間隙）Ｓ３、および光源カバー６の側板部１４の外表面に接して形成された通風空間（光源カバー６側板部１４とシールド部材２３との間の間隙）Ｓ４を、図６においては左方から右方に向けて、図７においては紙面裏側から手前側に向けて流れる。
【００３５】
上記各通風空間を流れる空気により、光源ユニット２０及び光源カバー６は空冷され、それらから熱を奪った空気は、筐体２の側板部２Ｂａに開口された排気口４から装置外へ排気される。光源カバー６の外表面側を流れた空気はそのままファン２５ａ、２５ｂを通って排気口４へと至る。光源カバー６の内表面側を流れた空気は、遮光ルーバー１３のスリットを抜けて、光源カバー６の後板部１１との間の間隙を通り、その後板部１１の両側の切欠かれた空間を通ってファン２５ａ、２５ｂ及び排気口４に至る。
【００３６】
本実施形態では、光源カバー６の材料に放熱性に優れた金属材料、例えばアルミニウムを用いていることにより、プロジェクタ１動作時における光源カバー６の過熱を抑制できる。この結果、特に、光源カバー６の上板部に対してわずかの間隙をあけて向き合わされ、その上板部から対流や輻射により熱を受けて筐体の他の部分よりも高温になりがちな筐体上板部２Ａａの過熱を抑えられる。
【００３７】
また、電源オフ後にファン２５ａ、２５ｂの駆動が停止された状態では、光源ユニット２０に蓄熱された熱の自然対流（上昇）により、光源カバー６の上板部が局所的に温度上昇しやすくなるが、本実施形態では光源カバー６に熱伝導性に優れたアルミニウムを用いているので、光源ユニット２０から受ける熱を光源カバー６全体に均熱化することができ、光源近傍部の局所的な温度上昇を抑えることができる。この結果、筐体上板部２Ａａにおける光源近傍部が局所的に高温になることを防げる。
【００３８】
また、光源カバー６を金属材料とすることで樹脂材料に比べて強度向上が図れ、その分光源カバーの体積を低減することが可能になる。例えば、本実施形態では光源カバー６の板厚は１ｍｍほどである。この光源カバー６の体積低減と、上述した光源カバー６の放熱性を高めて温度を下げることとの相乗効果にて、光源カバー６の蓄熱量の低減が図れ、ファン停止後における光源カバー６から筐体上板部２Ａａへの熱伝達量を低減できる。
【００３９】
近年、家庭用に普及が進んでいる可搬型の小型プロジェクタは、各部品が高密度に配置されている。そして、リフレクタ２１において光学ユニット５へと光を導く先端部側は効率的な集光作用を得るためにその広がりが大きく、またその先端部側には比較的体積の大きな光学ユニット５が連結されることもあって、リフレクタ２１の先端部側（図６における左方側）においては、光源カバー６と筐体上板部２Ａａ内面との間に大きな通風空間は確保しにくい。
【００４０】
これに対して、リフレクタ２１の底部寄りの部分は、先端部側から底部に向かって下向き傾斜、すなわち筐体上板部２Ａａから漸次遠ざかるような形状となっており、この部分の通風空間は上記先端部側よりも大きく確保できる。しかもこの部分は最も熱くなる部分でもあり、この部分の通風空間を大きく確保することは、通風量の増大及び筐体上板部２Ａａに対する輻射距離の増大につながり、その部分の局所的な過熱の抑制につながる。
【００４１】
そこで、本実施形態では、上述したように、光源カバー６における、光源１６上方側の光源近傍部分Ａに向き合わされる部分に傾斜部９を設けて、その傾斜部９と、筐体上板部２Ａａ内面との間隔（通風空間）が漸次大となるようにしている。
【００４２】
これにより、光源カバー６において最も高温となりやすい部分に流れる空冷用空気の流量増大及びその部分から筐体上板部２Ａａに対する熱輻射の及ぶ距離の増大が図れ、筐体上板部２Ａａにおける光源近傍部分が局所的に高温になってしまうことを抑制でできる。
【００４３】
なお、上記光源近傍部分Ａにおける通風空間及び筐体上板部２Ａａに対する輻射距離の増大は、例えば図６において２点鎖線で示すように両水平部７及び１０に垂直な段部を形成することによっても行えるが、これだとその段部の下方に位置する角部に空気が滞留しやすく円滑な空気の流れを期待できない。また、その段部と上記光源近傍部分Ａとの間の通風空間が狭くなり、その通風空間を流れる空気の流れを妨げてしまう。
【００４４】
したがって、空気の滞留を防ぐべく筐体上板部２Ａａ内面との間の距離を漸次増大させ、且つリフレクタ２１における光源近傍部分Ａとの間の距離が部分的に狭くなることがないように略均一にした上記傾斜部９が好ましい。
【００４５】
図１１は、電源オフ後（光源１６への電力供給停止後）の光源カバー上板部の温度の時間変化を示すグラフであり、図１２は、電源オフ後の筐体上板部２Ａａにおける光源真上部の温度の時間変化を示すグラフである。それぞれ、従来例に相当する樹脂材料（ＰＰＳ：polyphenylene sulfide）からなる光源カバーと、上記本実施形態に係るアルミニウムからなる光源カバー６について測定を行った。電源オフ後、約１分３０秒後にファン２５ａ、２５ｂが停止する。
【００４６】
これらグラフから明らかなように、光源カバー温度及び筐体温度共に、本実施形態に係る光源カバーを用いた方が、プロジェクタ動作時の温度及びファン停止後の温度は低くなっている。特に、電源をオフにした後の筐体温度の低減が図れるということは、使い終わった後にすぐに例えばキャリングケースに収納して持ち運んでもキャリングケースに対する熱損傷を防げる。
【００４７】
また、光源カバーと筐体上板部との間の距離を大きくすることなく上述したように光源カバーの材料や形状の工夫により冷却効果を高めているので、プロジェクタ全体の外形サイズの増大を抑えることができる。また、光源ユニット２０及び光源カバー６の冷却効率の向上は、ファンの回転数の低減にもつながり、低騒音化も図れる。
【００４８】
［第２の実施形態］
次に、本発明の第２の実施形態について説明する。なお、上記第１の実施形態と同じ構成部分には同一の符号を付し、その詳細な説明は省略する。
【００４９】
本実施形態では、図８、９に示すように、リフレクタ２１における光源１６上方側の光源近傍部分Ａと、上記傾斜部９を含む光源カバー６における上記部分Ａに向き合う部分との間に熱伝導部材２７を介在させている。熱伝導部材２７は、光源カバー６と同じように、熱伝導性に優れたアルミニウムや銅、これらの合金などの金属材料、あるいはやはり熱伝導性に優れたシリコンなどから構成される。熱伝導部材２７は、リフレクタ２１の上部の形状に沿ってそのリフレクタ２１に接触し、且つ光源カバー６の水平部７の一部及び傾斜部９の幅方向全体にわたって接触している。
【００５０】
このような構成により、熱伝導部材２７を介して光源近傍部分Ａからの熱を効率よく光源カバー６に伝熱することができると共に、光源カバー６上板部の幅方向全体にわたって拡散させて伝熱することができ、光源カバー６の均熱化を助長し光源カバー６及び筐体上板部２Ａａにおける熱の局部集中を効果的に防げる。
【００５１】
また、図１０に示すように、熱伝導部材２７に通風空間として機能する貫通孔２７ａを形成すれば、よりいっそうの冷却効率の向上が図れる。
【００５２】
以上、本発明の各実施形態について説明したが、勿論、本発明はこれらに限定されることなく、本発明の技術的思想に基づいて種々の変形が可能である。
【００５３】
本発明は、液晶プロジェクタに限らず、電気信号によって動作する可動部分（ミラー）を搭載した半導体デバイスであるＤＭＤ（Digital Micro-Mirror Device）に光源からの光をあてて、このＤＭＤのミラーに反射した光を投写レンズを通してスクリーンなどの被投写体に拡大表示するＤＬＰ（Digital Light Processing）プロジェクタにも適用できる。
【図面の簡単な説明】
【００５４】
【図１】本発明の実施形態に係るプロジェクタの外観斜視図である。
【図２】同プロジェクタの分解斜視図である。
【図３】図１において上筐体を取り外した状態の斜視図である。
【図４】本発明の実施形態に係る光源カバーの斜視図である。
【図５】図４とは反対側から見た光源カバーの斜視図である。
【図６】図３における［Ａ］−［Ａ］線方向の断面図である。
【図７】図３における［Ｂ］−［Ｂ］線方向の断面図である。
【図８】本発明の第２の実施形態における上記図６に相当する図である。
【図９】本発明の第２の実施形態における上記図７に相当する図である。
【図１０】図９に示す熱伝導部材の変形例を示す図である。
【図１１】電源オフ後の光源カバー温度の時間変化を示すグラフである。
【図１２】電源オフ後の筐体（光源真上部）温度の時間変化を示すグラフである。
【符号の説明】
【００５５】
１…プロジェクタ、２…筐体、２Ａ…上筐体、２Ａａ…筐体上板部、２Ｂ…下筐体、３…投写レンズ、４…排気口、５…光学ユニット、６…光源カバー、９…傾斜部、１３…遮光ルーバー、１６…光源、２０…光源ユニット、２１…リフレクタ、２２…光源ベース、２５ａ，２５ｂ…ファン、２７…熱伝導部材。
【図１】
2005338379.tif 000003
【図２】
2005338379.tif 000004
【図３】
2005338379.tif 000005
【図４】
2005338379.tif 000006
【図５】
2005338379.tif 000007
【図６】
2005338379.tif 000008
【図７】
2005338379.tif 000009
【図８】
2005338379.tif 000010
【図９】
2005338379.tif 000011
【図１０】
2005338379.tif 000012
【図１１】
2005338379.tif 000013
【図１２】
2005338379.tif 000014